(57)【特許請求の範囲】
【請求項１】
配電盤ラーメン構造体のラーメン柱に、組み付けレール、組み付けプレート、置きプレートのような取り付けエレメントを固定する装置であって、ラーメン柱が、ラーメン柱の横断面対角線を中心にして対称的に構成されていて、該ラーメン柱の横断面対角線と配電盤ラーメン構造体の対角線とが合致しており、ラーメン柱がラーメン構造体内側に面したラーメン柱の内面の、互いに直角な２つの成形面に固定受容部を有しており、前記２つの成形面は、配電盤ラーメン構造体の、前記２つの成形面とは反対側に向いた外面に対して平行に延びていて、正方形又は長方形の貫通口及び固定孔から成る固定受容部を備えており、かつ前記成形面は、一列に配置された複数のシステム固定受容部を有する付加成形面に移行しており、これらの付加成形面は配電盤ラーメン構造体の前記外面に対して直角になっており、ラーメン柱には固定エレメントが結合可能であり、該固定エレメントは、それぞれ互いに直角をなしている３つの方向で、それぞれ固定受容手段を備えた固定面を有している形式のものにおいて、
前記固定エレメントが固定ブロック（２０）として構成されており、前記固定ブロックは互いに直角をなす２つの接触面（２１，２２）をもって１つのラーメン柱（１０）の前記成形面（１２，１３）に当て付け可能かつ前記成形面（１２，１３）と結合可能であり、前記固定ブロック（２０）の前記２つの接触面（２１，２２）は前記固定面（２３，２４）に移行しており、これらの固定面（２３，２４）は、前記固定ブロック（２０）が前記ラーメン柱（１０）に結合された場合に、前記ラーメン柱（１０）の前記付加成形面（１４，１５）と同一平面内にあり、前記固定ブロック（２０）はラーメン柱（１０）の長手方向に対して直角な端面（３３）に、及び前記付加成形面（１４，１５）と同一の平面内にある前記固定ブロック（２０）の前記固定面（２３，２４）に、孔（２７）及びねじ孔（２８，２９，３０，３１）として構成された前記固定受容手段若しくは孔（２７）又はねじ孔（２８，２９，３０，３１）として構成された前記固定受容手段を備えており、固定ブロック（２０）が金属又はプラスチックの射出成型品として製作されており、前記２つの接触面のうちの一方の接触面（２１）が付加部（３２）を備えており、該付加部は前記ラーメン柱（１０）の一方の成形面（１２）の前記固定受容部（１８）内に挿入可能であり、他方の接触面（２２）はねじ（３４）によって他方の成形面（１３）にねじ締め固定可能であり、前記ねじ（３４）が、前記他方の接触面（２２）とは逆の側のこの接触面に対して平行な固定面（２３）から延在する貫通孔内に挿入可能であることを特徴とする、配電盤ラーメン構造体のラーメン柱に取り付けエレメントを固定する装置。
【請求項２】
前記ねじ（３４）が、前記固定面（２３，２４）のスリット形の切り欠き（２５及び２６）内に挿入可能であり、その際前記接触面（２２）上で前記切り欠き（２６）がねじ頭部を支持するための支持ウェブを形成していることを特徴とする、請求項１記載の装置。
【請求項３】
前記固定面（２３，２４）の切り欠き（２５）の幅寸法が前記ねじ（３４）のねじ頭部の直径寸法に合わせられていて、かつ前記接触面（２２）の切り欠き（２６）の幅寸法が前記ねじ（３４）のねじ山部分の直径寸法に合わせられていることを特徴とする、請求項２記載の装置。
【請求項４】
前記２つの接触面（２１，２２）が前記ねじ（３４）を受容するための切り欠き（２６）を備えており、該切り欠き（２６）はこの切り欠き（２６）に面した前記固定面（２３，２４）から、前記接触面（２１，２２）の幅の一部分にわたって形成されていることを特徴とする、請求項３記載の装置。
【請求項５】
前記２つの接触面（２１，２２）がこれら２つの接触面（２１，２２）間に設けられた移行面を介して互いに移行し合っていて、前記２つの固定面（２３，２４）が、前記移行面に対して平行に延びる別の移行面を介して、互いに移行し合っていることを特徴とする、請求項１から４までのいずれか１項記載の装置。
【請求項６】
前記ラーメン柱（１０）の前記成形面（１２，１３）が、あり溝形に形成された前記固定受容部の部分を成しており、前記あり溝の底が、前記固定ブロック（２０）が前記ラーメン柱（１０）に固定されている場合に、前記移行面に対して平行に延びていることを特徴とする、請求項５記載の装置。
【請求項７】
前記固定ブロック（２０）の前記固定面（２３，２４）が、少なくとも２つの孔及びねじ孔（２８，２９；３０，３１）を有しているか、若しくは少なくとも２つの孔又はねじ孔（２８，２９；３０，３１）を有しており、前記孔又はねじ孔の間隔は、前記ラーメン柱（１０）の長手方向で、前記配電盤ラーメン構造体の、格子状に形成された前記システム固定受容部の格子間隔に等しいことを特徴とする、請求項１から６までのいずれか１項記載の装置。
【発明の詳細な説明】
【０００１】
【発明の属する技術分野】
本発明は、配電盤ラーメン構造体のラーメン柱に、組み付けレール、組み付けプレート、置きプレートのような取り付けエレメントを固定する装置であって、ラーメン柱が、ラーメン柱の横断面対角線を中心にして対称的に構成されていて、該ラーメン柱の横断面対角線と配電盤ラーメン構造体の対角線とが合致しており、ラーメン柱がラーメン構造体内側に面したラーメン柱の内面の、互いに直角な２つの成形面に固定受容部を有しており、前記２つの成形面は、配電盤ラーメン構造体の、前記２つの成形面とは反対側に向いた外面に対して平行に延びていて、正方形又は長方形の貫通口及び固定孔から成る固定受容部を備えており、かつ前記成形面は、一列に配置された複数のシステム固定受容部を有する付加成形面に移行しており、これらの付加成形面は配電盤ラーメン構造体の前記外面に対して直角になっており、ラーメン柱には固定エレメントが結合可能であり、該固定エレメントは、それぞれ互いに直角をなしている３つの方向で、それぞれ固定受容手段を備えた固定面を有している形式のものに関する。
【０００２】
【従来の技術】
このような形式の装置は DE 195 37 016 C1 から公知である。配電盤ラーメン構造体はこの場合ラーメン柱から組み立てられており、ラーメン柱はその横断面対角線に関して鏡像的に、つまり対称的に構成されていて、横断面対角線の向きを配電盤ラーメン構造体の対角線に合わされている。配電盤ラーメン構造体の内部の範囲において、ラーメン柱の互いに直角な成形面はその全長にわたっている固定受容部を形成している。
【０００３】
成形面は移行面とともに、配電盤ラーメン構造体の内部に向かって開いているあり溝を形成している。このあり溝内に固定エレメントのあり溝形のウェブを挿入することができ、ウェブはあり溝内で支えられる。固定エレメントとしての固定ブロックは挿入位置においてあり溝内に挿入され、次いで９０°だけ回されて固定位置にもたらされる。この場合固定ブロックは固定受容部内で充分に保持されており、固定受容部内で連続的に調節可能である。
【０００４】
【発明が解決しようとする課題】
本発明の課題は、固定ブロックを有する最初に述べた形式の装置を次のように、すなわち簡単な固定エレメントを迅速かつ簡単にラーメン柱に固定することができ、すべての方向で取り付けエレメントの固定可能性が得られるように、構成することである。
【０００５】
【課題を解決するための手段】
この課題は本発明によれば次のようにして解決される。すなわち、固定エレメントが固定ブロックとして構成されており、前記固定ブロックは互いに直角をなす２つの接触面をもって１つのラーメン柱の前記成形面に当て付け可能かつ前記成形面と結合可能であり、前記固定ブロックの前記２つの接触面は前記固定面に移行しており、これらの固定面は、前記固定ブロックが前記ラーメン柱に結合された場合に、前記ラーメン柱の前記付加成形面と同一平面内にあり、前記固定ブロックはラーメン柱の長手方向に対して直角な端面に、及び前記付加成形面と同一の平面内にある前記固定ブロックの前記固定面に、孔及びねじ孔として構成された前記固定受容手段若しくは孔又はねじ孔として構成された前記固定受容手段を備えており、固定ブロックが金属又はプラスチックの射出成型品として製作されており、前記２つの接触面のうちの一方の接触面が付加部を備えており、該付加部は前記ラーメン柱の一方の成形面の前記固定受容部内に挿入可能であり、他方の接触面はねじによって他方の成形面にねじ締め固定可能であり、前記ねじが、前記他方の接触面とは逆の側のこの接触面に対して平行な固定面から延在する貫通孔内に挿入可能であるようにするのである。
【０００６】
このように構成された固定ブロックは簡単にラーメン柱の固定受容部内に挿入されて、これと結合される。付加成形面と同一の平面内にある固定面は、互いに直角な２つの方向での結合可能性を提供し、その場合取り付けエレメントの取り付けがラーメン柱によって不可能になることはない。第３の方向での結合の可能性は固定ブロックの端面によって与えられる。それは、端面はラーメン柱の縦方向に対して直角であるからである。
【０００７】
【発明の実施の形態】
ラーメン柱の成形面の固定受容部の列に適合して固定ブロックを位置決めすることは次のようにして達成することができる。すなわち接触面の１つが付加部を備えており、付加部はラーメン柱の１つの成形面の固定受容部内に挿入可能であり、他方の接触面はねじによって他方の成形面にねじ締め固定可能であるようにする。システム列のラスタも固定ブロックに取り入れるために、別の実施形態では、固定ブロックの固定面が少なくとも２つの孔及び又はねじ孔を有しており、孔及び又はねじ孔は、ラーメン柱の縦方向で、配電盤ラーメン構造体のシステム固定受容部のラスタ寸法に等しい間隔を有している。接触面の付加部はシステム固定受容部のラスタ寸法での明確な位置決めを可能にし、ラーメン柱の固定受容部内への挿入を妨げることはない。
【０００８】
固定ブロックをラーメン柱にねじ固定することは、実施形態では次のようにして解決されている。すなわち、ねじが、接触面とは逆の側のこれに平行な固定面から出て、直径に段を付けられている、つまり直径が段階的に減径されている貫通孔内に挿入可能であるか、あるいはねじが、固定面及び少なくとも１つの接触面のスリット形の切り欠き内に挿入可能であり、その際接触面の範囲内で切り欠きがねじ頭部のための支持ウェブを形成しているようにするのである。
【０００９】
第２の実施形態の場合、固定面の切り欠きの幅がねじのねじ頭部の直径に、かつ接触面の切り欠きの幅がねじのねじ山部分の直径に、適合せしめられているようにすることができ、その際ねじ締め固定の可能性を更に拡大するために、両方の接触面がねじのための切り欠きを備えており、切り欠きは接触面の幅の一部分にわたってだけ延びていて、それに向いた固定面から発しているようにすることができる。
【００１０】
別の実施形態では、２つの接触面がこれらの接触面間に設けられた移行面を介して互いに移行し合っていて、前記２つの固定面が、前記移行面に対して互いに平行に延びる別の移行面を介して互いに移行し合っている。固定ブロックはラーメン柱の固定受容部内に充分なスペースを有しており、配電盤ラーメン構造体の内部に向かってラーメン柱のところで不必要に飛び出ることはない。
【００１１】
更に、ラーメン柱の成形面が、あり溝形の固定受容部の部分であって、移行面は、固定ブロックがラーメン柱に固定されている場合に、あり溝底に対して平行に延びているようにすると、ラーメン柱に固定されている固定ブロックを付加的にあり溝の底で支えることができる。
【００１２】
固定ブロックは金属又はプラスチックの簡単な射出成型品として安価に製作することができる。
【００１３】
【実施例】
以下においては、図面に示した実施例に基づいて本発明の構成を説明する。
【００１４】
図１に示したラーメン柱１０はその横断面対角線１１に関して鏡像的に、つまり対称的に構成されている。配電盤ラーメン構造体内でラーメン柱１０は、その横断面対角線１１の向きが配電板ラーメン構造体の対角線と合わさるように、立設されている。配電板ラーメン構造体の内部に向かって、ラーメン柱１０は、横断面対角線１１に関して対称的な固定受容部を形成しており、この固定受容部は互いに直角な両方の成形面１２及び１３によって仕切られていて、ラーメン柱１０の全長にわたって延びている。これらの成形面１２及び１３は、ラーメン柱１０の範囲において互いに突き合わさる配電盤ラーメン構造体の外面に対して平行であり、この配電盤ラーメン構造体の外面はラーメン柱１０の外側の成形面１６及び１７によって形成されている。ラーメン柱１０の固定受容部はこの場合別の区分を介して完全なものにすることができ、成形面１２及び１３は付加成形面１４及び１５を介して前記外側の成形面１６及び１７に移行している。付加成形面１４及び１５は成形面１２及び１３に対して直角であり、したがってそれに向いた配電盤ラーメン構造体の外面若しくはラーメン柱１０の外側の成形面１６及び１７に対しても直角である。
【００１５】
図１から分かるように、成形面１２及び１３並びに付加成形面１４及び１５は、均一なラスタ、つまり格子状に配置された長方形の貫通口１８及び固定孔１９から成るシステム固定受容部の列を備えている。
【００１６】
この装置はすべての３つの方向での結合可能性を形成するために、固定ブロック２０として構成された固定エレメントを使用しており、この固定ブロックは金属又はプラスチックの射出成型品として安価に製作可能である。
【００１７】
これらの中実に構成されている固定ブロック２０は、互いに直角な２つの接触面２１及び２２を有しており、これらの接触面はラーメン柱１０の成形面１２及び１３に当て付け可能であり、かつこれらの成形面と結合可能である。固定ブロック２０の接触面２１及び２２はそれらに対して直角な固定面２３及び２４に移行しており、これらの固定面は、固定ブロック２０をラーメン柱１０に固定した後に、ラーメン柱の付加成形面１４及び１５と同一の平面内にある。固定面２３及び２４にはスリット形の切り欠き２５及び２６が形成されており、これらの切り欠きは接触面２１及び２２までには延びていない。この場合切り欠き２５の幅はねじ３４のねじ頭部の直径に適合せしめられている。固定面２４の切り欠き２６は接触面２２に向かって開いているが、単にねじ３４のねじ山部分の直径に相応する幅だけ開いている。図２から分かるように、接触面２１に付加部３２を形成しておくことができ、この付加部はラーメン柱１０の成形面１２の貫通口１８内に挿入可能である。これによって固定ブロック２０は、それがラーメン柱１０にねじ締め固定される前に、システム固定受容部のラスタで位置決めすることができる。固定面２４の切り欠き２６は接触面２１に向かってもやはり開いていることができ、かつ相応して幅を狭くしておくことができ、したがって固定ブロック２０は選択的に成形面１２又は１３とねじ締め固定することができ、その際システム固定受容部の１つの固定孔１９がねじをねじ込まれる。
【００１８】
固定ブロック２０の端面３３はその孔２７によって第３の方向での結合可能性を形成する。
【００１９】
固定面２３及び２４は２つのねじ孔２８及び２９若しくは３０及び３１を有しており、これらのねじ孔はラーメン柱１０の縦方向で、システム固定受容部のラスタ寸法に相応する間隔を有している。
【００２０】
固定ブロック２０の接触面２１及び２２並びに固定面２３及び２４は、互いにかつあり溝の溝底に対して平行に延びる移行面を介して互いに移行している。固定ブロック２０は溝底に支えられることができ、ラーメン柱１０のところで配電盤ラーメン構造体の内部に不必要に突出することはない。
【００２１】
図１が示すように、操作部材４４を介して操作可能なスイッチ４０のような取り付けエレメントは、それがラスタ寸法で隔てられている固定ねじ４３のための２つの長孔４２を備えた固定フランジ４１を有していれば、固定ブロック２０にねじ締め固定することができる。固定ねじ４３は固定面２４のねじ孔３０及び３１内にねじ込まれる。同じ形式で、スイッチ４０は固定ブロック２０の固定面２３に固定することもできる。
【００２２】
図２においては、配電盤ラーメン構造体のうち、両方の後方又は前方のラーメン柱１０並びに底ラーメン５０における水平のラーメン柱５１，５２及び５３が示されている。底ラーメン５０は底薄板５５によって閉鎖しておくことができる。前側及び後ろ側の両方の鉛直のラーメン柱１０には同じ高さ位置で（システム固定受容部によって設定された高さ位置で）４つの固定ブロック２０が、図１に関連して説明したように、取り付けられる。
【００２３】
固定ブロック２０の上方に向いた端面３３には、折り曲げられた縁部４６を備えた置きプレート４５が載置される。置きプレート４５は角の範囲に、固定ブロック２０の孔２７に向きを合わされた固定孔４７を有しており、これらの固定孔内に固定エレメント４８が差し込み可能である。この場合これらの固定エレメント４８は、固定ブロック２０の切り欠き２５及び２６の範囲に係止する拡張エレメントとして構成することができる。
【００２４】
図３が示すように、同じような形式で、鉛直の組み立てプレート６０を配電盤ラーメン構造体の互いに隣り合う２つの鉛直のラーメン柱１０に固定することができる。このために各ラーメン柱１０において２つの固定ブロック２０が次のように、すなわち組み立てプレート６０の水平の縁部６１が上方の固定ブロック２０の上方の端面３３を覆い、かつ下方の固定ブロック２０の下方の端面３３に係合するように、位置決めされて固定される。組み立てプレート６０は次いで４つの固定ブロック２０のそれに向いた固定面に当て付けて、固定ねじ６３によってそれにねじ締め固定することができる。組み立てプレート６０は、ねじ孔２８，２９，３０又は３１に向きを合わされた固定孔６２を備えている。
【００２５】
固定ブロック２０は、切り欠き２５及び２６の代わりに、ねじ３４のための直径に段を付けられた孔を有することができ、これらの孔は１つの固定面から発し、この固定面に対して平行に延びる接触面に向けられている。
【図面の簡単な説明】
【図１】それに取り付けエレメントが取り付け可能であるところの固定ブロックが固定されているラーメン柱の内側を斜視図で示す。
【図２】水平の置きプレートが固定される配電盤ラーメン構造体の一部分を斜視図で示す。
【図３】鉛直の組み立てプレートが固定される配電盤ラーメン構造体の一部分をやはり斜視図で示す。
【符号の説明】
１０  ラーメン柱、  １１  横断面対角線、  １２及び１３  成形面、  １４及び１５  付加成形面、  １６及び１７  成形面、  １８  貫通口、  １９  固定孔、  ２０  固定ブロック、  ２１及び２２  接触面、  ２３及び２４  固定面、  ２５及び２６  切り欠き、  ２７  孔、  ２８，２９，３０及び３１  ねじ孔、  ３２  付加部、  ３３  端面、  ３４  ねじ、  ４０  スイッチ、  ４１  固定フランジ、  ４２  長孔、  ４３  固定ねじ、  ４４  操作部材、  ４５  置きプレート、  ４６  縁部、  ４７  固定孔、  ４８  固定エレメント、５０  底ラーメン、  ５１，５２及び５３  ラーメン柱、  ５５  底薄板、  ６０  組み付けプレート、  ６１  縁部、  ６２  固定孔、  ６３  固定ねじ
【図１】
0004523088.tif 000002
【図２】
0004523088.tif 000003
【図３】
0004523088.tif 000004